(57)【要約】 【課題】  構成部品の生産性および組立作業の作業性が良好であり、かつ騒音を低減することができるとともに、錆びの発生を防ぐことができるポンプ装置を提供する。【解決手段】  一方のポンプユニット２２に頭部が係止される締結用ボルト３６が、バルブユニット２４を挿通して、他方のポンプユニット２３に螺着され、各ポンプユニット２２，２３およびバルブユニット２４が、互いに連結される。したがって各ポンプユニット２２，２３およびバルブユニット２４に必要な加工箇所を少なくし、かつ組立作業の作業工程数を少なくすることができる。したがってポンプ装置の構成部品の生産性および組立作業の作業性を良好にすることができる。また締結用ボルト３６がポンプユニット２２，２３およびバルブユニット２４の外方になく、締結用ボルト３６が発する音を遮断して騒音低減を図り、ポンプ装置２１の塗装を容易にして防錆を確実に達成することができる。【選択図】      図１
2007051553.tif 000002
【特許請求の範囲】
【請求項１】
２つのポンプユニットと、
各ポンプユニット間に設けられるバルブユニットと、
各ポンプユニットによってバルブユニットを挟持可能に、各ポンプユニットを互いに締結する締結手段とを備えることを特徴とするポンプ装置。
【請求項２】
締結手段は、バルブユニットを挿通して設けられることを特徴とする請求項１に記載のポンプ装置。
【請求項３】
各ポンプユニットと、バルブユニットとを、位置決めする位置決め手段をさらに備えることを特徴とする請求項１または２に記載のポンプ装置。
【発明の詳細な説明】
【技術分野】
【０００１】
本発明は、ポンプ装置に関する。
【背景技術】
【０００２】
図１４は、従来の技術のポンプ装置１を示す斜視図である。図１５は、ポンプ装置１を示す正面図である。図１６は、ポンプ装置１を示す側面図である。図１４〜図１６のポンプ装置１は、たとえば非特許文献１に示されている。このポンプ装置１は、２つの斜板式ピストンポンプが軸線方向へ並べて設けられるタンデム型ポンプなどと呼ばれる複合型ポンプ装置である。ポンプ装置１は、２つのポンプユニット２，３と、バルブユニット４とを有する。各ポンプユニット２，３は、それぞれポンプケーシング５，６を有し、各ポンプケーシング５，６内に、シリンダブロック、ピストンおよび斜板などがそれぞれ収容されて構成される。バルブユニット４は、バルブケーシング７を有し、バルブケーシング７内に、各ポンプユニット２，３の各シリンダブロックにそれぞれ摺動可能に２つの弁板が収容されて構成される。
【０００３】
一方のポンプユニット２とバルブユニット４とは、複数、たとえば４本の締結用ボルト１０によって締結されている。他方のポンプユニット３とバルブユニット４ともまた、同様に４本の締結用ボルト１０によって締結されている。各締結用ボルト１０は、頭部が、各ポンプユニット２，３のバブルユニット４に対向する側とは反対側の端部のフランジ部に係止された状態で、バルブユニット４に螺着される。各締結用ボルト１０は、中間部が、ポンプケーシング５，６の外方に剥出しになっている。
【０００４】
【非特許文献１】「油空圧技術  １０月増刊号」，日本工業出版，平成１２年１０月５日，第３９巻，第１２号
【発明の開示】
【発明が解決しようとする課題】
【０００５】
従来の技術のポンプ装置１では、各締結用ボルト１０の軸線方向の中間部が、ポンプケーシング５，６の外部に露出しており、各ポンプユニット２，３の基本周波数のｎ次周波数成分に対して、各締結用ボルト１０が共振して高周波振動すると、騒音が放射されてしまう。さらにポンプケーシング５，６が、部分的に各締結用ボルト１０によって外方から覆われ、その部分の塗装が不十分となって、錆びを発生させてしまう場合がある。
【０００６】
また各ポンプユニット２，３を、バルブユニット４に対して、それぞれ個別の締結用ボルト１０によって締結する構成であり、用いられる締結用ボルト１０の本数が８本と多くなってしまう。したがってポンプユニット２，３およびバルブユニット４に対する締結用ボルト１０による締結のためのねじ孔などの加工箇所が多くなって構成部品の生産性が悪くなる。また各ポンプユニット２，３およびバルブユニット４を締結用ボルト１０で締結する締結作業の工程数が多くなってしまい、組立作業の作業性が悪くなってしまう。
【０００７】
本発明の目的は、構成部品の生産性および組立作業の作業性が良好なポンプ装置を提供することである。
【０００８】
また本発明の他の目的は、騒音を低減することができるとともに、錆びの発生を防ぐことができるポンプ装置を提供することである。
【課題を解決するための手段】
【０００９】
本発明は、２つのポンプユニットと、
各ポンプユニット間に設けられるバルブユニットと、
各ポンプユニットによってバルブユニットを挟持可能に、各ポンプユニットを互いに締結する締結手段とを備えることを特徴とするポンプ装置である。
【００１０】
本発明に従えば、各ポンプユニットが締結手段によって互いに締結されることによって、各ポンプユニット間に設けられるバルブユニットが、各ポンプユニットによって挟持される。これによって各ポンプユニットを、バルブユニットに対して個別に締結する構成と比べて、締結手段の個数を少なくすることができる。したがって各ポンプユニットおよびバルブユニットを締結手段を用いて締結するために、各ポンプユニットおよびバルブユニットの加工が必要な箇所を少なくすることができ、ポンプ装置の構成部品の生産性を良好にすることができる。また各ポンプユニットおよびバルブユニットを締結するための締結作業の工程数を少なくすることができ、ポンプ装置の組立作業の作業性を良好にすることができる。
【００１１】
また本発明は、締結手段は、バルブユニットを挿通して設けられることを特徴とする。
本発明に従えば、締結手段が、バルブユニットによって外方から覆われる。これによって締結手段は、外部に露出していないので、締結手段が、ポンプユニットの基本周波数のｎ次周波数成分に対して共振して高周波振動したとしても、その振動に起因する騒音が放射されてしまうことが防がれる。したがってポンプ装置の騒音を低減することができる。また各ポンプユニットおよびバルブユニットが、締結手段によって外方から覆われることがなく、ポンプ装置に対する塗装作業が容易であり、塗装不良の発生を防ぐことができる。したがって塗装不良が原因となって、錆びを発生してしまうことが防がれる。
【００１２】
また本発明は、各ポンプユニットと、バルブユニットとを、位置決めする位置決め手段をさらに備えることを特徴とする。
【００１３】
本発明に従えば、各ポンプユニットによってバルブユニットを挟持する構成としても、各ポンプユニットとバルブユニットとが、位置決め手段によって互いに位置決めされる。これによってポンプ装置を、動作不良を含む不具合が生じないように、容易に組立てることができる。
【発明の効果】
【００１４】
本発明によれば、各ポンプユニットおよびバルブユニットを締結するための締結手段の個数を少なくすることができる。したがって各ポンプユニットおよびバルブユニットに対する加工箇所数および組立作業の作業工程数を少なくすることができるので、ポンプ装置の構成部品の生産性および組立作業の作業性を良好にすることができる。このような優れたポンプ装置を得ることができる。
【００１５】
また本発明によれば、締結手段が、外部に露出していないので、締結手段が、高周波振動したとしても、その振動に起因する騒音が放射されることがない。したがってポンプ装置の騒音を低減することができる。また締結手段が、ポンプ装置に対する塗装作業に邪魔になることがないので、塗装不良が防がれる。したがってポンプ装置の錆びの発生が防がれる。
【００１６】
また本発明によれば、各ポンプユニットとバルブユニットとが、位置決めされ、ポンプ装置を、動作不良を含む不具合が生じないように、容易に組立てることができる。
【発明を実施するための最良の形態】
【００１７】
図１は、本発明の実施の一形態のポンプ装置２１を示す斜視図である。図２は、図１とは異なる方向から見てポンプ装置２１を示す斜視図である。図３は、ポンプ装置２１を簡略化して示す正面図である。図４は、ポンプ装置２１を簡略化して示す側面図である。ポンプ装置２１は、搭載対象物であるたとえばたとえば産業機械および建設機械に、搭載されるポンプ装置であって、タンデム型ポンプなどと呼ばれる２つのポンプ部が組合わせて構成される複合型ポンプ装置である。組合される２つのポンプ部は、特に限定されるものではなく、ギヤポンプなどであってもよいが、本実施の形態では、たとえば斜板式ピストンポンプである。この斜板式ピストンポンプは、定容量形のポンプでもよいが、本実施の形態では、可変容量形のポンプである。
【００１８】
ポンプ装置２１は、２つのポンプユニット２２，２３と、バルブユニット２４とを有し、さらに２つのレギュレータ２５，２６を有する。各ポンプユニット２２，２３と、バルブユニット２４とは、同軸に設けられ、これら各ポンプユニット２２，２３およびバルブユニット２４の軸線が、ポンプ装置２１の軸線Ｌ２１となる。各ポンプユニット２２，２３と、バルブユニット２４とは、各ポンプユニット２２，２３によってバルブユニット２４を挟むように、ポンプ装置２１の軸線Ｌ２１に沿って並べられ、互いに連結されている。各レギュレータ２５，２６は、各ポンプユニット２２，２３の上部に設けられ、各ポンプユニット２２，２３にそれぞれ連結されている。
【００１９】
各ポンプユニット２２，２３は、ポンプケーシング２７，２８をそれぞれ有し、各ポンプケーシング２７，２８内に、シリンダブロック、ピストンおよび斜板などの構成部がそれぞれ収容されて構成される。バルブユニット２４は、バルブケーシング３０を有し、バルブケーシング３０内に、各ポンプユニット２２，２３の各シリンダブロックにそれぞれ摺動可能に２つの弁板が収容されて構成される。バルブケーシング３０と弁板とは、一体であってもよいし、別体であってもよい。各レギュレータ２５，２６は、レギュレータケーシング３１，３２をそれぞれ有し、各レギュレータケーシング３１，３２内に、斜板を傾転させるための構造が収容されて構成される。
【００２０】
ポンプ装置２１は、複数の締結手段である締結用ボルト３６を有している。本実施の形態では、４本の締結用ボルト３６が用いられる。各ポンプユニット２２，２３と、バルブユニット２４とは、各締結用ボルト３６を用いて連結される。各ポンプユニット２２，２４は、内蔵されるシリンダブロック、ピストンおよび斜板などが、略対称に配置される状態で設けられ、各締結ボルト３６によって相互に締結される。各締結用ボルト３６は、ポンプ装置２１の軸線Ｌ２１と略平行に設けられる。バルブユニット２４は、各ポンプユニット２２，２３間に設けられることによって、各ポンプユニット２２，２３によって挟持される。このようにして各ポンプユニット２２，２３と、バルブユニット２４とが、互いに連結される。
【００２１】
各締結用ボルト３６は、両端部が各ポンプケーシング２７，２８にそれぞれ係止され、ポンプケーシング２７，２８を締結する構成である。各締結用ボルト３６の両端部の各ポンプケーシング２７，２８への係止構造は、たとえば、締結用ボルト３６の頭部を各ポンプケーシング２７，２８に係止する構成、締結用ボルト３６を各ポンプケーシング２７，２８に螺着する構成、および締結用ボルト３６に螺着されるナット部材を各ポンプケーシング２７，２８に係止する構成のいずれかの構成によって実現される。各締結用ボルト３６は、バルブユニット２４内を挿通して設けられ、軸線方向両端部の間の中間部は、外部に露出していない。
【００２２】
またポンプ装置２１は、位置決め手段２００を有している。各ポンプユニット２２，２３とバルブユニット２４とを、位置決め手段２００によって、ポンプ装置２１の軸線Ｌ２１に交差する方向に関して位置決めすることができ、互いの変位が阻止される。この位置決め手段２００は、必須の構成ではなく、たとえば各ポンプユニット２２，２３とバルブケーシング２４の間の摩擦力で互いの変位を阻止する構成でもよいが、本実施の形態では、位置決め手段２００が設けられている。位置決め手段２００は、その具体的構成について限定されるものではなく、各ポンプユニット２２，２３とバルブユニット２４とを、互いに位置決めして変位を阻止できる構成であればよい。
【００２３】
ポンプユニット２２は、回転軸を有し、この回転軸は、ベアリングを介してポンプケーシング２７に、回転可能に支持されている。回転軸には、シリンダブロックがスプライン結合またはキーによって結合され、回転軸とシリンダブロックとは一体に回転可能である。シリンダブロックに形成される複数のピストン室には、ピストンが伸縮可能に嵌まり込んでいる。各ピストンは、シリンダブロックから突出する側の端部が、シューを介して斜板の支持面に当接され、支持面に沿って変位する。斜板の支持面は、回転軸線に垂直な仮想平面対して傾斜しており、シリンダブロックの回転に伴って、各ピストンは伸長および縮退するように往復変位する。
【００２４】
バルブユニット２４に設けられる一方の弁板には、作動流体である作動油が貯留される油源であるたとえばタンクに連なる吸入ポートと、作動油の供給先であるたとえばアクチュエータに接続される吐出ポートとが形成されている。弁板は、伸長行程にあるピストンの嵌まり込んでいるピストン室が、吸入ポートに接続され、縮退行程にあるピストンの嵌まり込んでいるピストン室が、吐出ポートに接続されるように、構成されている。したがって回転軸に原動機から動力が伝達されて、シリンダブロックが回転されると、各ピストンの往復変位によって、作動油がタンクから汲み上げられ、アクチュエータに供給される。
【００２５】
また一方のレギュレータ２５は、一方のポンプユニット２２に設けられるサーボ機構を制御して、斜板の支持面の傾斜角度を変更するように、斜板を頃動駆動することができる。これによってポンプ容量を変更することができる。このように一方のポンプユニット２２と、これに連結される一方のレギュレータ２５と、バルブユニット２４の一方の弁板を含む一部の構成とによって、１つのポンプ部が実現される。
【００２６】
他方のポンプユニット２３は、一方のポンプユニット２２とほぼ同様の構成を有し、他方のレギュレータ２６は、一方のレギュレータ２５とほぼ同様の構成を有している。このような他方のポンプユニット２３と、これに連結される他方のレギュレータ２６と、バルブユニット２４の他方の弁板を含む一部の構成とによって、も１つのポンプ部が実現される。このもう１つのポンプ部は、一方のポンプユニット２２と、これに連結される一方のレギュレータ２５と、バルブユニット２４の一方の弁板を含む一部の構成とによって実現されるポンプ部と、ほぼ同様の構成である。
【００２７】
各ポンプ部の相違点は、一方のポンプユニット２２のポンプケーシング２７にだけ、搭載対象物の機体に装着するための固定用フランジ部５８が設けられる点と、各回転軸の構成の差異とであり、その他は、同様の構成である。一方のポンプユニット２２を有するポンプ部の回転軸は、ポンプケーシング２７から突出し、この回転軸に原動機から動力が伝達される。他方のポンプユニット２３を有するポンプ部の回転軸は、一方のポンプユニット２２を有するポンプ部の回転軸に、バルブユニット内で連結されている。これによって２つのポンプ部が連動するように構成されている。
【００２８】
図５は、一方のポンプケーシング２７を示す断面図である。図６は、図５の右側から見て一方のポンプケーシング２７を示す側面図である。図７は、図５の上側から見て一方のポンプケーシング２７を示す平面図である。一方のポンプケーシング２７は、収容空間４４が形成されている。この収容空間４４に、回転軸、シリンダブロック、各ピストンおよび斜板を含む構成部が収容される。収容空間４４は、軸線方向に貫通しており、一方のポンプケーシング２７の軸線方向一端部となる一方側面部４５で、開口４８によって開口するとともに、一方のポンプケーシング２７の軸線方向他端部となる他方側面部４６で、開口４９によって開口している。また収容空間４４は、一方のポンプケーシング２７の上端部となる平面部４７で、開口５０によって開口している。
【００２９】
一方のポンプケーシング２７は、他方側面部４６に、周方向に間隔をあけて、半径方向外方へ突出する複数の連結用鍔部５５が形成されている。本実施の形態では、一方のポンプケーシング２７は、４つの連結用鍔部５５を有している。各連結用鍔部５５には、内ねじが刻設される締結用ねじ孔５６がそれぞれ形成されている。各ねじ孔５６の軸線Ｌ５６は、一方のポンプケーシング２７の軸線Ｌ２７と平行である。一方のポンプケーシング２７の軸線Ｌ２７は、ポンプ装置２１の軸線Ｌ２１と同一である。
【００３０】
またポンプケーシング２７は、一方側面部４５に、半径方向外方へ突出する複数、たとえば２つの搭載固定用鍔部５８が形成されている。各搭載固定用鍔部５８には、固定用の挿通孔５９がそれぞれ形成されている。
【００３１】
図８は、他方のポンプケーシング２８を示す断面図である。図９は、図８の右側から見て他方のポンプケーシング２８を示す側面図である。図１０は、図８の上側から見て他方のポンプケーシング２８を示す平面図である。他方のポンプケーシング２８は、収容空間６４が形成されている。この収容空間６４に、回転軸、シリンダブロック、各ピストンおよび斜板を含む構成部が収容される。収容空間６４は、軸線方向に貫通しており、他方のポンプケーシング２８の軸線方向一端部となる一方側面部６５で、開口６８によって開口するとともに、他方のポンプケーシング２８の軸線方向他端部となる他方側面部６６で、開口６９によって開口している。また収容空間６４は、他方のポンプケーシング２８の上端部となる平面部６７で、開口７０によって開口している。
【００３２】
他方のポンプケーシング２８は、他方側面部６６に、周方向に間隔をあけて、半径方向外方へ突出する複数の連結用鍔部７５が形成されている。本実施の形態では、他方のポンプケーシング２８は、４つの連結用鍔部７５を有している。各連結用鍔部７５には、係止孔７６がそれぞれ形成されている。各係止孔７６は、他方のポンプケーシング２８の軸線方向に関して、他方側面部６６寄りの小径の本孔部７６ａと、一方側面部６５寄りの大径の凹所部７６ｂとを有している。本孔部７６ａにおける内周面と凹所部７６ｂにおける内周面とは、段差を有している。係止孔７６の軸線Ｌ７６は、他方のポンプケーシング２８の軸線Ｌ２８と平行である。他方のポンプケーシング２８の軸線Ｌ２８は、ポンプ装置２１の軸線Ｌ２１と同一である。
【００３３】
図１１は、バルブユニット２４を示す正面図である。図１２は、図１１の左側から見てバルブユニット２４を示す側面図である。図１３は、図１１の右側から見てバルブユニット２４を示す側面図である。バルブユニット２４は、バルブケーシング３０に、バルブブロック８０が収容されている。バルブケーシング３０とバルブブロック８０とは一体である。バブルブロック８０には、２つの弁板２０１，２０２が回転不能に固着されている。バルブケーシング３０は、バルブブロック８０が設けられる収容空間８１が、軸線方向両端部８４，８５で、開口８６，８７によって開口している。
【００３４】
バルユニット２４には、バルブケーシング３０に、複数、本実施の形態では４つの挿通孔９０が形成されている。各挿通孔９０は、バルブユニット２４の外周部に、周方向に間隔を開けて形成されている。各挿通孔９０は、直円筒状の孔である。各挿通孔９０の軸線Ｌ９０は、バルブユニット２４の軸線Ｌ２４と平行である。バルブユニット２４の軸線Ｌ２４は、ポンプ装置２１の軸線Ｌ２１と同一である。
【００３５】
図１〜図１３を参照して、各ポンプユニット２２，２３と、バルブユニット２４とは、各ポンプケーシング２７，２８の各軸線と、バルブユニット２４の軸線Ｌ２４とが一致するように同軸に、かつ各ポンプユニット２２，３３によってバルブユニット２４が挟まれるように、並べられる。各ポンプユニット２２，２３を、バルブユニット２４のどちらの面に対向させるかは、特に限定されるものではなく、搭載対象物の構成およびポンプ装置２１の回転方向に合わせて適宜選択することができる。あくまで一例ではあるが、図１〜図１３に示す例では、一方のポンプユニット２２は、他方側面部４６をバルブユニット２４の軸線方向の一端部８４に対向させて設けられ、他方のポンプユニット２３は、他方側面部６６をバルブユニット２４の軸線方向の他端部８５に対向させて設けられる。さらに各ポンプユニット２２，２３と、バルブユニット２４とは、各ねじ孔５６の軸線Ｌ５６と、各係止孔７６の軸線Ｌ７６と、各挿通孔９０の軸線Ｌ９０とが、それぞれ１つずつ一致して同軸に配置されるように、設けられる。したがってねじ孔５６、挿通孔９０および係止孔７６が、この順で軸線方向にならんで連なる、４つの孔が形成される。
【００３６】
各締結用ボルト３６は、軸線方向の一端部に外ねじが刻設されるねじ部３６ａを有し、軸線方向の他端部に半径方向外方へ突出する頭部３６ｂを有している。各締結用ボルト３６は、ねじ部３６ａが一方のポンプユニット２２寄りに配置され、かつ頭部３６ｂが他方のポンプユニット２３寄りに配置される状態で、ねじ孔５６、挿通孔９０および係止孔７６によって形成される４つの孔に、係止孔７６側から、挿通孔９０を挿通してねじ孔５６までそれぞれ挿入される。各締結用ボルト３６は、頭部３６ｂが、係止孔７６の凹所部７６ｂに嵌まり込んで、他方のポンプケーング２８に対する軸線に垂直な方向の変位が阻止された状態で、本孔部７６ａと凹所部７６ｂとの境界部の段差面に当接して、他方のポンプケーシング２８にそれぞれ係止され、ねじ部３６ａが、ねじ孔５６にねじ込まれて、一方のポンプケーシング２７にそれぞれ螺着される。
【００３７】
このように各締結用ボルト３６の両端部３６ａ，３６ｂが、各ポンプケーシング２７，２８にそれぞれ係止され、各ポンプケーシング２７，２８が相互に締結される。バルブユニット２４は、各ポンプユニット２２，２３間に配置され、各ポンプケーシング２７，２８に挟まれる。これによってバルブユニット２４は、各ポンプユニット２２，２３によって挟持される。具体的にはバルブケーシング３０は、各ポンプケーシング２７，２８によって挟持される。したがって各ポンプユニット２２，２３とバルブユニット２４は、各ポンプユニット２２，２３でバルブユニット２４を挟み、各ポンプユニット２２，２３を相互に締結することによって、互いに連結される。
【００３８】
また本実施の形態では、各ポンプユニット２２，２３と、バルブユニット２４とを、位置決めする位置決め手段２００として、突起部３３，３４と、位置決めピン９５とが設けられる。
【００３９】
インロウ部などとも呼ばれる各突起部３３，３４は、バルブケーシング３０の軸線方向両端部８４，８５に、軸線方向へ突出して形成される。各突起部３３は、バルブケーシング３０の軸線方向両端部８４，８５における各開口８６，８７を外囲するように、周方向に延びる円環状に形成される。また各突起部３３，３４は、バルブユニット２４の軸線Ｌ２４と同軸に形成されている。各突起部３３，３４は、各ポンプユニット２２，２３とバルブユニット２４とが並べられる状態で、各ポンプケーシング２７，２８の他方側面部４６，６６の開口４９，６９に嵌まり込み、これら開口４９，６９を囲む内周面部２０５，２０６に、半径方向外方から支持される。各ポンプケーシング２７，２８の他方側面部４６，６６の開口４９，６９は、円形状であり、各ポンプケーシング２７，２８の軸線Ｌ２７，Ｌ２８と同軸に形成されている。したがって各突起部３３，３４が、各ポンプケーシング２７，２８の他方側面部４６，６６の開口４９，６９に嵌まり込むことによって、各ポンプケーシング２７，２８とバルブケーシング２４とが、同軸に位置決めされる。
【００４０】
各ポンプケーシング２７，２８の各他方側面部４６，６６には、有底の嵌合孔１００，１０１がそれぞれ１つずつ形成されている。またバルブブロック２４のバルブケーシング３０には、軸線方向両端部８４，８５には、有底の嵌合孔１０２，１０３がそれぞれ１つずつ形成されている。前述のように各ポンプユニット２２，２３とバルブユニット２４とが同軸に配置され、各ねじ孔５６、各挿通孔９０および各係止孔７６がそれぞれ同軸に配置される状態で、一方のポンプケーシングの嵌合孔１００と、バルブケーシング３０の軸線方向一端部の嵌合孔１０２とは、同軸に配置され、他方のポンプケーシングの嵌合孔１０１と、バルブケーシング３０の軸線方向他端部の嵌合孔１０３とは、同軸に配置される。
【００４１】
一方のポンプケーシングの嵌合孔１００と、バルブケーシング３０の軸線方向一端部の嵌合孔１０２とに、１つの位置決めピン９５が嵌まり込み、かつ他方のポンプケーシングの嵌合孔１０１と、バルブケーシング３０の軸線方向他端部の嵌合孔１０３に、もう１つの位置決めピン９５が嵌まり込んでいる。これによってバルブユニット２４を、各ポンプユニット２２，２３に対して、ポンプ装置２１の軸線Ｌ２１まわりの周方向の変位を阻止して、位置決めすることができる。
【００４２】
本発明のように互いに締結される各ポンプユニット２２，２３によってバルブユニット２４を挟持して連結する構成では、各ポンプユニット２２，２３同士は、周方向に４つ設けられる締結用ボルト３６によって、ポンプ装置２１の軸線Ｌ２１と交差する方向に関して互いに位置決めされる。バルブユニット２４は、位置決め手段２００によって、各ポンプユニット２２，２３に対して位置決めされる。このように、各突起部３３，３４と、位置決めピン９５とを用いて、容易にかつ高精度に位置決めされる。
【００４３】
バルブユニット２４の各嵌合孔１０２，１０３は、バルブユニット２４の軸線Ｌ２４に垂直な方向へ互いにずれた位置に配置されている。換言すれば、バルブユニット２４の各嵌合孔１０２，１０３は、互いに非同軸に形成されている。本実施の形態では、軸線方向一端部８４側の嵌合孔１０２は、バルブユニット２４の底面部寄りかつ背面部寄りの位置に形成され、軸線方向他端部８５側の嵌合孔１０３は、バルブユニット２４の底面部寄りかつ正面部寄りの位置に形成される。したがって各位置決めピン９５は、ポンプ装置２１の軸線Ｌ２１に垂直な方向にずれ、非同軸に設けられる。
【００４４】
このようなポンプ装置２１は、一方のポンプユニット２２の各搭載固定用フランジ部５８で、搭載対象物の機体に固定される。ポンプ装置２１は、このように搭載された状態で、搭載対象物に設けられている原動機に連結され、駆動されて、搭載対象物のアクチュエータに作動油を供給する。
【００４５】
本実施の形態によれば、各ポンプユニット２２，２３が、各締結用ボルト３６によって互いに締結されることによって、各ポンプユニット２２，２３間に設けられるバルブユニット２４が、各ポンプユニット２２，２３によって挟持される。これによって各ポンプユニット２２，２３を、バルブユニット２４に対して個別に締結する構成と比べて、締結用ボルト３６の個数を少なくすることができる。したがって各ポンプユニット２２，２３およびバルブユニット２４を締結用ボルト３６を用いて締結するために、各ポンプユニット２２，２３およびバルブユニット２４の加工が必要な箇所を少なくすることができる。具体的には、各ねじ孔５６、各係止孔７６および各挿通孔９０を形成する箇所を少なくすることができる。したがってポンプ装置２１の構成部品の生産性を良好にすることができる。また各ポンプユニット２２，２３およびバルブユニット２４を締結するための締結作業の工程数を少なくすることができ、ポンプ装置２１の組立作業の作業性を良好にすることができる。
【００４６】
また各締結用ボルト３６が、バルブユニット２４の各挿通孔９０をそれぞれ挿通することによって、バルブユニット２４によって外方から覆われる。これによって各締結用ボルト３６は、少なくとも軸線方向中間部が外部に露出していないので、各締結用ボルト３６が、各ポンプユニット２２，２３の基本周波数のｎ次周波数成分に対して共振して高周波振動したとしても、その振動に起因する騒音が放射されてしまうことが防がれる。したがってポンプ装置２１の騒音を低減することができる。また各ポンプユニット２２，２３およびバルブユニット２４が、各締結用ボルト３６によって外方から覆われることがなく、各ポンプユニット２２，２３およびバルブユニット２４を含めて、ポンプ装置２１に対する塗装作業が容易であり、塗装不良の発生を防ぐことができる。したがって塗装不良が原因となって、錆びを発生してしまうことが防がれる。
【００４７】
また各ポンプユニット２２，２３によってバルブユニット２４を挟持する構成としても、各ポンプユニット２２，２３とバルブユニット２４とが、位置決め手段２００によって互いに位置決めされる。これによってポンプ装置２１を、各ポンプユニット２２，２３およびバルブユニット２４を同軸に確実に配置して、動作不良を含む不具合が生じないように、容易に組立てることができる。
前述の実施の形態は、本発明の例示に過ぎず、構成を変更することが可能である。
【図面の簡単な説明】
【００４８】
【図１】本発明の実施の一形態のポンプ装置２１を示す斜視図である。
【図２】図１とは異なる方向から見てポンプ装置２１を示す斜視図である。
【図３】ポンプ装置２１を簡略化して示す正面図である。
【図４】ポンプ装置２１を簡略化して示す側面図である。
【図５】一方のポンプケーシング２７を示す断面図である。
【図６】図５の右側から見て一方のポンプケーシング２７を示す側面図である。
【図７】図５の上側から見て一方のポンプケーシング２７を示す平面図である。
【図８】他方のポンプケーシング２８を示す断面図である。
【図９】図８の右側から見て他方のポンプケーシング２８を示す側面図である。
【図１０】図８の上側から見て他方のポンプケーシング２８を示す平面図である。
【図１１】バルブユニット２４を示す正面図である。
【図１２】図１１の左側から見てバルブユニット２４を示す側面図である。
【図１３】図１１の右側から見てバルブユニット２４を示す側面図である。
【図１４】従来の技術のポンプ装置１を示す斜視図である。
【図１５】ポンプ装置１を示す正面図である。
【図１６】ポンプ装置１を示す側面図である。
【符号の説明】
【００４９】
２１  ポンプ装置
２２，２３  ポンプユニット
２４  バルブユニット
２５，２６  レギュレータ
２７，２８  ポンプケーシング
３０  バルブケーシング
３３，３４  突起部
３６  締結用ボルト
５６  ねじ孔
７６  係止孔
９０  挿通孔
９５  位置決めピン
１００〜１０３  嵌合孔
２００  位置決め手段
【図１】
2007051553.tif 000003
【図２】
2007051553.tif 000004
【図３】
2007051553.tif 000005
【図４】
2007051553.tif 000006
【図５】
2007051553.tif 000007
【図６】
2007051553.tif 000008
【図７】
2007051553.tif 000009
【図８】
2007051553.tif 000010
【図９】
2007051553.tif 000011
【図１０】
2007051553.tif 000012
【図１１】
2007051553.tif 000013
【図１２】
2007051553.tif 000014
【図１３】
2007051553.tif 000015
【図１４】
2007051553.tif 000016
【図１５】
2007051553.tif 000017
【図１６】
2007051553.tif 000018